【手続補正書】
【提出日】平成25年2月21日(2013.2.21)
【手続補正１】
【補正対象書類名】明細書
【補正対象項目名】０００９
【補正方法】変更
【補正の内容】
【０００９】
以上の課題を解決するため、請求項１に記載の発明は、自機における各部への電源を供給する制御を行う電源制御部を備えた画像形成装置を直列に複数配置し、前記複数の画像形成装置にて一の用紙に対してそれぞれ画像の形成を行う画像形成システムであって、
用紙の片面のみに画像を形成する片面印刷を実行するときに、電源の供給を停止する画像形成装置を決定する制御部を備え、
前記電源の供給を停止すると決定された画像形成装置の電源制御部は、自機における各部への電源の供給を停止する制御を行うことを特徴とする。
請求項２に記載の発明は、請求項１に記載の画像形成システムにおいて、
前記制御部は、前記複数の画像形成装置のうちの何れの画像形成装置において画像の形成を行うか否かを判定し、該判定結果に基づいて電源の供給を停止する画像形成装置を決定することを特徴とする。
【手続補正２】
【補正対象書類名】明細書
【補正対象項目名】００１０
【補正方法】変更
【補正の内容】
【００１０】
請求項３に記載の発明は、請求項２に記載の画像形成システムにおいて、
前記複数の画像形成装置は、それぞれ、画像を形成する用紙を収容し、収容された用紙の供給を行う給紙部を備え、
前記制御部は、用紙の両面に画像を形成する両面印刷と前記片面印刷の何れを実行するかを判定するとともに、前記複数の画像形成装置のうちの何れの画像形成装置における給紙部から用紙を供給するかを判定し、該判定結果に基づいて前記複数の画像形成装置のそれぞれについて電源の供給を行うか否かを決定し、
前記複数の画像形成装置の電源制御部は、前記制御部の決定に基づいて自機における各部への電源の供給を制御することを特徴とする。
【手続補正３】
【補正対象書類名】明細書
【補正対象項目名】００１１
【補正方法】変更
【補正の内容】
【００１１】
請求項４に記載の発明は、請求項１〜３の何れか一項に記載の画像形成システムにおいて、
前記電源制御部は、用紙の搬送を行うための搬送系駆動装置を動作させるための電源の供給と、前記搬送系駆動装置以外の駆動装置を動作させるための電源の供給とをそれぞれ独立して制御することを特徴とする。
【手続補正４】
【補正対象書類名】明細書
【補正対象項目名】００１２
【補正方法】変更
【補正の内容】
【００１２】
請求項５に記載の発明は、請求項４に記載の画像形成システムにおいて、
前記複数の画像形成装置のうちの用紙の搬送方向における下流側に配置される画像形成装置の電源制御部は、前記制御部における判定結果、下流側に配置される画像形成装置において画像の形成が行われるものでない場合には、前記搬送系駆動装置を動作させるための電源を供給するとともに、該搬送系駆動装置以外の駆動装置を動作させるための電源の供給を停止する制御を行うことを特徴とする。
【手続補正５】
【補正対象書類名】明細書
【補正対象項目名】００１３
【補正方法】変更
【補正の内容】
【００１３】
請求項６に記載の発明は、請求項１〜５の何れか一項に記載の画像形成システムにおいて、
前記制御部は、前記複数の画像形成装置のうちの一部の画像形成装置における各部への電源の供給が停止されているときに、当該画像形成装置が各部への電源の供給が既に行われている他の画像形成装置とともに一の用紙に対して画像の形成を行うときは、前記各部への電源の供給が停止されている画像形成装置における当該各部への電源の供給を開始するように決定し、
前記各部への電源の供給が停止されている画像形成装置の電源制御部は、自機における各部への電源の供給を行うとともに、用紙への画像の形成を可能とするための所定の準備動作を実行する制御を行い、
前記制御部は、前記準備動作が完了するまでは、前記各部への電源の供給が既に行われている他の画像形成装置において、当該画像形成装置にて実行される第１の画像形成処理の内容による画像の形成と、前記準備動作が行われている画像形成装置において実行される第２の画像形成処理の内容による画像の形成とを一の用紙に対して実行するように前記複数の画像形成装置を制御し、前記準備動作が完了したときに、一の用紙に対し、当該準備動作が完了した画像形成装置において前記第２の画像形成処理の内容による画像の形成を行うとともに、前記各部への電源の供給が既に行われている他の画像形成装置において前記第１の画像形成処理の内容による画像の形成を行うように前記複数の画像形成装置を制御することを特徴とする。
【手続補正６】
【補正対象書類名】特許請求の範囲
【補正対象項目名】全文
【補正方法】変更
【補正の内容】
【特許請求の範囲】
【請求項１】
自機における各部への電源を供給する制御を行う電源制御部を備えた画像形成装置を直列に複数配置し、前記複数の画像形成装置にて一の用紙に対してそれぞれ画像の形成を行う画像形成システムであって、
用紙の片面のみに画像を形成する片面印刷を実行するときに、電源の供給を停止する画像形成装置を決定する制御部を備え、
前記電源の供給を停止すると決定された画像形成装置の電源制御部は、自機における各部への電源の供給を停止する制御を行うことを特徴とする画像形成システム。
【請求項２】
前記制御部は、前記複数の画像形成装置のうちの何れの画像形成装置において画像の形成を行うか否かを判定し、該判定結果に基づいて電源の供給を停止する画像形成装置を決定することを特徴とする請求項１に記載の画像形成システム。
【請求項３】
前記複数の画像形成装置は、それぞれ、画像を形成する用紙を収容し、収容された用紙の供給を行う給紙部を備え、
前記制御部は、用紙の両面に画像を形成する両面印刷と前記片面印刷の何れを実行するかを判定するとともに、前記複数の画像形成装置のうちの何れの画像形成装置における給紙部から用紙を供給するかを判定し、該判定結果に基づいて前記複数の画像形成装置のそれぞれについて電源の供給を行うか否かを決定し、
前記複数の画像形成装置の電源制御部は、前記制御部の決定に基づいて自機における各部への電源の供給を制御することを特徴とする請求項２に記載の画像形成システム。
【請求項４】
前記電源制御部は、用紙の搬送を行うための搬送系駆動装置を動作させるための電源の供給と、前記搬送系駆動装置以外の駆動装置を動作させるための電源の供給とをそれぞれ独立して制御することを特徴とする請求項１〜３の何れか一項に記載の画像形成システム。
【請求項５】
前記複数の画像形成装置のうちの用紙の搬送方向における下流側に配置される画像形成装置の電源制御部は、前記制御部における判定結果、下流側に配置される画像形成装置において画像の形成が行われるものでない場合には、前記搬送系駆動装置を動作させるための電源を供給するとともに、該搬送系駆動装置以外の駆動装置を動作させるための電源の供給を停止する制御を行うことを特徴とする請求項４に記載の画像形成システム。
【請求項６】
前記制御部は、前記複数の画像形成装置のうちの一部の画像形成装置における各部への電源の供給が停止されているときに、当該画像形成装置が各部への電源の供給が既に行われている他の画像形成装置とともに一の用紙に対して画像の形成を行うときは、前記各部への電源の供給が停止されている画像形成装置における当該各部への電源の供給を開始するように決定し、
前記各部への電源の供給が停止されている画像形成装置の電源制御部は、自機における各部への電源の供給を行うとともに、用紙への画像の形成を可能とするための所定の準備動作を実行する制御を行い、
前記制御部は、前記準備動作が完了するまでは、前記各部への電源の供給が既に行われている他の画像形成装置において、当該画像形成装置にて実行される第１の画像形成処理の内容による画像の形成と、前記準備動作が行われている画像形成装置において実行される第２の画像形成処理の内容による画像の形成とを一の用紙に対して実行するように前記複数の画像形成装置を制御し、前記準備動作が完了したときに、一の用紙に対し、当該準備動作が完了した画像形成装置において前記第２の画像形成処理の内容による画像の形成を行うとともに、前記各部への電源の供給が既に行われている他の画像形成装置において前記第１の画像形成処理の内容による画像の形成を行うように前記複数の画像形成装置を制御することを特徴とする請求項１〜５の何れか一項に記載の画像形成システム。